【手続補正書】
【提出日】平成23年5月19日(2011.5.19)
【手続補正１】
【補正対象書類名】特許請求の範囲
【補正対象項目名】全文
【補正方法】変更
【補正の内容】
【特許請求の範囲】
【請求項１】
１つまたは複数の車輪を駆動し、バッテリによって電力を供給される電気モータを含む車両に、バッテリサービスステーションに関する情報を提供するための方法であって、 
前記車両において、
前記車両のバッテリの状態を判定するステップと、
前記車両の地理的位置を判定するステップと、
前記車両の前記バッテリの前記充電状態および前記車両の前記地理的位置に基づいて、前記車両が到達できる少なくとも１つのバッテリサービスステーションを、前記車両を所有または保持するが前記バッテリを所有しないユーザに通知するステップと、
を実行する、
方法。
【請求項２】
前記車両において、少なくとも１つのバッテリサービスステーションに対する前記車両の前記地理的位置を、前記車両の測位システムのユーザインタフェースにおける地図上に表示するステップをさらに実行する、請求項１に記載の方法。
【請求項３】
前記車両において、前記車両が到達できる前記バッテリサービスステーションを前記地図上にマークするステップをさらに実行する、請求項１に記載の方法。
【請求項４】
前記少なくとも１つのバッテリサービスステーションが、前記車両の前記バッテリを充電する充電ステーションであるか、または前記車両の少なくとも部分的に消耗したバッテリを充電したバッテリと交換するバッテリ交換ステーションである、請求項１に記載の方法。
【請求項５】
前記車両の前記ユーザからバッテリサービスステーションの選択を受信するステップと、
前記車両に対して前記バッテリサービスステーションの予約をするステップと、
をさらに含む、請求項１に記載の方法。
【請求項６】
前記車両の前記バッテリの前記状態を判定するステップが、
前記バッテリの年数を判定するステップと、
前記バッテリの充電／放電サイクルの回数を判定するステップと、
これらの動作の任意の組み合わせと、
とからなる群から選択される１つを含む、請求項１に記載の方法。
【請求項７】
前記車両の前記バッテリの前記状態に基づいて、前記車両が到達できる前記バッテリサービスステーションを識別するステップが、
前記バッテリが前記車両の前記電気モータにもはや電力を供給できなくなる前に前記車両が走行できる最大距離を判定するステップと、
前記車両の前記地理的位置から前記最大距離内にある前記バッテリサービスステーションを決定するステップと、
を含む、請求項１に記載の方法。
【請求項８】
前記最大距離が、特定の安全率を含む、請求項７に記載の方法。
【請求項９】
前記バッテリが前記車両の前記電気モータにもはや電力を供給できなくなる前に前記車両が走行できる最大距離を判定するステップと、
前記車両の前記地理的位置の前記最大距離内にある地図エリアを、前記車両の測位システムのユーザインタフェースにマークするステップと、
を含む、請求項１に記載の方法。
【請求項１０】
前記車両の前記バッテリの前記状態を、データネットワークを通じてサービスプロバイダに定期的に送信するステップを含む、請求項１に記載の方法。
【請求項１１】
前記車両の前記地理的位置を、データネットワークを通じてサービスプロバイダに定期的に送信するステップを含む、請求項１に記載の方法。
【請求項１２】
前記バッテリサービスステーションの状態を、データネットワークを通じてサービスプロバイダから定期的に受信するステップを含む、請求項１に記載の方法。
【請求項１３】
各前記バッテリサービスステーションの前記状態が、
各前記バッテリサービスステーションにおける占有された充電ステーションの数と、
各前記バッテリサービスステーションにおける空いた充電ステーションの数と、
各前記バッテリサービスステーションにおける占有されたバッテリ交換ベイの数と、
各前記バッテリサービスステーションにおける空いたバッテリ交換ベイの数と、
前記バッテリサービスステーションの位置と、
これらの状態の任意の組み合わせと、
からなる群から選択される、請求項１２に記載の方法。
【請求項１４】
前記車両の１つまたは複数の車輪を駆動し、バッテリによって電力を供給される電気モータを含む車両が、
１つまたは複数のプロセッサと、
メモリと、
前記メモリに記憶された１つまたは複数のプログラムと、を含み、
前記プログラムが、
前記車両のバッテリの状態を判定する命令と、
前記車両の地理的位置を判定する命令と、
前記車両の前記バッテリの前記充電状態および前記車両の前記地理的位置に基づいて、前記車両が到達できる少なくとも１つのバッテリサービスステーションを、前記車両を所有または保持するが前記バッテリを所有しないユーザに通知する命令と、
を含む、
車両。
【請求項１５】
少なくとも１つのバッテリサービスステーションに対する前記車両の前記地理的位置を、前記車両の測位システムのユーザインタフェースにおける地図上に表示する命令をさらに含む、請求項１４に記載の車両。
【請求項１６】
前記車両が到達できる前記バッテリサービスステーションを、前記地図上にマークする命令をさらに含む、請求項１４に記載の車両。
【請求項１７】
前記少なくとも１つのバッテリサービスステーションが、前記車両の前記バッテリを充電する充電ステーションか、または前記車両の少なくとも部分的に消耗したバッテリを充電したバッテリと交換するバッテリ交換ステーションである、請求項１４に記載の車両。
【請求項１８】
前記１つまたは複数のプログラムが、
前記車両のユーザからバッテリサービスステーションの選択を受信する命令と、
前記車両に対する前記バッテリサービスステーションの予約をする命令と、
をさらに含む、請求項１４に記載の車両。
【請求項１９】
前記車両の前記バッテリの前記状態を判定する前記命令が、
前記バッテリの年数を判定する命令と、
前記バッテリの充電／放電サイクルの回数を判定する命令と、
これらの命令の任意の組み合わせと、
からなる群から選択される１つを含む、請求項１４に記載の車両。
【請求項２０】
前記車両の前記バッテリの前記状態に基づいて、前記車両が到達できる前記バッテリサービスステーションを識別する前記命令が、
前記バッテリが前記車両の前記電気モータにもはや電力を供給できなくなる前に前記車両が走行できる最大距離を判定する命令と、
前記車両の前記地理的位置から前記最大距離内にある前記バッテリサービスステーションを決定する命令と、
を含む、請求項１４に記載の車両。
【請求項２１】
前記最大距離が、特定の安全率を含む、請求項２０に記載の車両。
【請求項２２】
前記バッテリが前記車両の前記電気モータにもはや電力を供給できなくなる前に前記車両が走行できる最大距離を判定する命令と、
前記車両の前記地理的位置から前記最大距離内にある地図エリアを、前記車両の測位システムのユーザインタフェースにマークする命令と、
をさらに含む、請求項１４に記載の車両。
【請求項２３】
前記車両の前記バッテリの前記状態を、データネットワークを通じてサービスプロバイダに定期的に送信する命令を含む、請求項１４に記載の車両。
【請求項２４】
前記車両の前記地理的位置を、データネットワークを通じてサービスプロバイダに定期的に送信する命令を含む、請求項１４に記載の車両。
【請求項２５】
前記バッテリサービスステーションの状態を、データネットワークを通じてサービスプロバイダから定期的に受信する命令を含む、請求項１４に記載の車両。
【請求項２６】
各前記バッテリサービスステーションの前記状態が、
各前記バッテリサービスステーションにおける占有された充電ステーションの数と、
各前記バッテリサービスステーションにおける空いた充電ステーションの数と、
各前記バッテリサービスステーションにおける占有されたバッテリ交換ベイの数と、
各前記バッテリサービスステーションにおける空いたバッテリ交換ベイの数と、
前記バッテリサービスステーションの位置と、
これらの状態の任意の組み合わせと、
からなる群から選択される、請求項２５に記載の車両。
【請求項２７】
コンピュータによる実行のために構成された１つまたは複数のプログラムを記憶するコンピュータ可読記憶媒体であって、前記１つまたは複数のプログラムが、
１つまたは複数の車輪を駆動しバッテリからエネルギーを受け取る電気モータを含む車両の前記バッテリの状態を判定する命令と、
前記車両の地理的位置を判定する命令と、
前記車両の前記バッテリの前記充電状態および前記車両の前記地理的位置に基づいて、前記車両が到達できる少なくとも１つのバッテリサービスステーションを、前記車両を所有または保持するが前記バッテリを所有しないユーザに通知する命令と、
を含むコンピュータ可読記憶媒体。
【請求項２８】
少なくとも１つのバッテリサービスステーションに対する前記車両の前記地理的位置を、前記車両の測位システムのユーザインタフェースにおける地図上に表示する命令をさらに含む、請求項２７に記載のコンピュータ可読記憶媒体。
【請求項２９】
前記車両が到達できる前記バッテリサービスステーションを、前記地図上にマークする命令をさらに含む、請求項２７に記載のコンピュータ可読記憶媒体。
【請求項３０】
前記少なくとも１つのバッテリサービスステーションが、前記車両の前記バッテリを充電する充電ステーションか、または前記車両の少なくとも部分的に消耗したバッテリを充電したバッテリと交換するバッテリ交換ステーションである、請求項２７に記載のコンピュータ可読記憶媒体。
【請求項３１】
前記１つまたは複数のプログラムが、
前記車両のユーザからバッテリサービスステーションの選択を受信する命令と、
前記車両に対する前記バッテリサービスステーションの予約をする命令と、
をさらに含む、請求項２７に記載のコンピュータ可読記憶媒体。
【請求項３２】
前記車両の前記バッテリの前記状態を判定する前記命令が、
前記バッテリの年数を判定する命令と、
前記バッテリの充電／放電サイクルの回数を判定する命令と、
これらの命令の任意の組み合わせと、
からなる群から選択される１つを含む、請求項２７に記載のコンピュータ可読記憶媒体。
【請求項３３】
前記車両の前記バッテリの前記状態に基づいて、前記車両が到達できる前記バッテリサービスステーションを識別する前記命令が、
前記バッテリが前記車両の前記電気モータにもはや電力を供給できなくなる前に前記車両が走行できる最大距離を判定する命令と、
前記車両の前記地理的位置から前記最大距離内にある前記バッテリサービスステーションを決定する命令と、
を含む、請求項２７に記載のコンピュータ可読記憶媒体。
【請求項３４】
前記最大距離が、特定の安全率を含む、請求項３３に記載のコンピュータ可読記憶媒体。
【請求項３５】
前記バッテリが前記車両の前記電気モータにもはや電力を供給できなくなる前に前記車両が走行できる最大距離を判定する命令と、
前記車両の前記地理的位置から前記最大距離内にある地図エリアを、前記車両の測位システムのユーザインタフェースにマークする命令と、
を含む、請求項２７に記載のコンピュータ可読記憶媒体。
【請求項３６】
前記車両の前記バッテリの前記状態を、データネットワークを通じてサービスプロバイダに定期的に送信する命令を含む、請求項２７に記載のコンピュータ可読記憶媒体。
【請求項３７】
前記車両の前記地理的位置を、データネットワークを通じてサービスプロバイダに定期的に送信する命令を含む、請求項２７に記載のコンピュータ可読記憶媒体。
【請求項３８】
前記バッテリサービスステーションの状態を、データネットワークを通じてサービスプロバイダから定期的に受信する命令を含む、請求項２７に記載のコンピュータ可読記憶媒体。
【請求項３９】
各前記バッテリサービスステーションの前記状態が、
各前記バッテリサービスステーションにおける占有された充電ステーションの数と、
各前記バッテリサービスステーションにおける空いた充電ステーションの数と、
各前記バッテリサービスステーションにおける占有されたバッテリ交換ベイの数と、
各前記バッテリサービスステーションにおける空いたバッテリ交換ベイの数と、
前記バッテリサービスステーションの位置と、
これらの状態の任意の組み合わせと、
からなる群から選択される、請求項３８に記載のコンピュータ可読記憶媒体。
【請求項４０】
１つまたは複数の車輪を駆動し、バッテリによって電力を供給される電気モータを含む車両に、バッテリサービスステーションに関する情報を提供するための方法であって、
車両において、
前記車両の地理的位置を判定するステップと、
前記車両の前記地理的位置に基づいて、少なくとも１つのバッテリサービスステーションを識別するステップと、
前記少なくとも１つのバッテリサービスステーションを前記車両のユーザに通知するステップと、を実行し、
前記バッテリが前記ユーザによって所有されず、
前記車両の前記ユーザが、前記車両の法的所有権を有するユーザであるかまたは前記車両の法的占有権を有するユーザである、
方法。